(57)【要約】【課題】  本発明は、塩製タイルを壁材や床材、天井材等の固定対象物に確実に固定することができる上に、塩製タイルの背面側に設置した光源の光を部屋内に適正に照射させることのできる塩製タイル用ホルダーを提供することを課題とする。【解決手段】  塩で成形された光透過性のある塩製タイルを一方の面上に配置可能に形成されたプレートベース部と、該プレートベース部に直接的又は間接的に連設され、該プレートベース部の一方の面側に延出したタイル保持爪とを備え、前記プレートベース部は、他方の面側に配置される光源の光を一方の面側に通過させる光通過穴が貫設され、前記タイル保持爪は、プレートベース部の一方の面上に配置された塩製タイル回りに位置するように、プレートベース部の周方向に間隔をあけて少なくとも二つ設けられ、各タイル保持爪は、塩製タイルの外周面を係止可能に形成されていることを特徴とする。【選択図】図１
2010222940.tif 000002
【特許請求の範囲】
【請求項１】
塩で成形された光透過性のある塩製タイルを一方の面上に配置可能に形成されたプレートベース部と、該プレートベース部に直接的又は間接的に連設され、該プレートベース部の一方の面側に延出したタイル保持爪とを備え、前記プレートベース部は、他方の面側に配置される光源の光を一方の面側に通過させる光通過穴が貫設され、前記タイル保持爪は、プレートベース部の一方の面上に配置された塩製タイル回りに位置するように、プレートベース部の周方向に間隔をあけて少なくとも二つ設けられ、各タイル保持爪は、塩製タイルの外周面を係止可能に形成されていることを特徴とする塩製タイル用ホルダー。
【請求項２】
前記プレートベース部の正面形状が塩製タイルの正面形状に対応するように形成されるとともに、該プレートベース部の外周縁部から一方の面側に延出した枠部を備え、前記タイル保持爪は、枠部の先端から延出するように設けられている請求項１に記載の塩製タイル用ホルダー。
【請求項３】
請求項１又は２に記載の塩製タイル用ホルダーと、複数の塩製タイル用ホルダーが整列状態で取り付けられるホルダー用基台とを備え、該ホルダー用基台は、塩製タイル用ホルダーの取付位置に光を通過させるための基台側光通過穴が貫設され、各塩製タイル用ホルダーは、光通過穴を基台側光通過穴に対応させた状態でホルダー用基台に取付可能に構成されていることを特徴とする塩製タイル取付ユニット。
【請求項４】
前記塩製タイル用ホルダーは、プレートベース部の他方の面側に延出した固定用爪を備え、該固定用爪は、光通過穴の回りに少なくとも二つ設けられるとともに、基台側光通過穴の内周縁部に係止可能に形成されている請求項３記載の塩製タイル取付ユニット。
【請求項５】
前記ホルダー用基台の背面側で固定対象物に固定されるベースを更に備え、ホルダー用基台の背面側の面及びベースの正面側の面の少なくとも何れか一方には、相手側に向けて延出する複数の支持脚部が設けられ、ホルダー用基台及びベースは、支持脚部を介して連結可能に構成され、ホルダー用基台とベースとの間に光源を配置するためのスペースが形成されるように構成されている請求項３に記載の塩製タイル取付ユニット。
【請求項６】
前記ホルダー用基台の背面、又は前記ベースの正面の何れか一方に前記支持脚部が延設されるとともに、ホルダー用基台の背面、又はベースの正面の何れか他方に前記支持脚部の先端部を嵌入可能に構成された脚連結部が設けられ、少なくとも何れか一つの支持脚部の先端部、又は該支持脚部の先端部が嵌入される脚連結部の何れか一方に連結用の爪が設けられるとともに、前記少なくとも何れか一つの支持脚部の先端部、又は該支持脚部の先端部が嵌入される脚連結部の何れか他方に前記爪と係合可能な被係合片が設けられている請求項５記載の塩製タイル取付ユニット。
【発明の詳細な説明】
【技術分野】
【０００１】
本発明は、塩で成形された塩製タイルを壁や天井、床等に敷き詰めるのに用いられる塩製タイル用ホルダー、及びこれを備えた塩製タイル取付ユニットに関する。
【背景技術】
【０００２】
従来から、塩には新陳代謝の活性化を促進する効能があるとして、部屋を画定する壁、床、及び天井の全てに岩塩から削り出した塊状の塩を敷き詰め、その部屋内を高温多湿にした塩サウナが知られているが（例えば、特許文献１参照）、塩サウナは、部屋内が高温多湿で利用者の身体への負担が非常に大きいことから、長時間に亘って部屋内に滞在できず、新陳代謝を十分に高めることができない場合がある。
【０００３】
そこで、昨今、壁、床、及び天井の全てに塩製のタイル（以下、塩製タイルという）を敷き詰め、その部屋内の温度を体温よりも僅かに高い温度（例えば、４１℃）で且つ湿度を低湿度（例えば、４５％）に設定したソルトルームが提供されている。
【０００４】
かかるソルトルームは、部屋内の温度及び湿度が、利用者の身体に対する負担の少ない値に設定され、その設定値（部屋内の温度及び湿度）が塩の効能を最大限発揮させることのできる最適条件であることから、利用者が不快に感じることなく部屋内に長時間滞在でき、新陳代謝や免疫力の活性化が非常に高まるとされている。
【０００５】
また、ソルトルームは、光透過性のある塩製タイルが採用されるとともに、該塩製タイルの背面側（裏側）にＲＧＢ三色の光源（例えば、ＬＥＤ）が配置されており、塩製タイルを透過したＲＧＢ三色の光を部屋内に照射させることで、幻想的な空間演出を行えるようになっている。これにより、ソルトルームは、利用者に癒しを与える（リラックスさせる）ことができ、利用者をストレスから解放させるとされている。
【０００６】
このように、ソルトルームは、新陳代謝や免疫力の活性化を非常に高めることができ、また、利用者をストレスから解放させることができるとして、美容分野や医療分野等の多岐に亘る分野で注目を浴びている。
【先行技術文献】
【特許文献】
【０００７】
【特許文献１】特開２００５−１９４８６１号公報
【発明の概要】
【発明が解決しようとする課題】
【０００８】
ところで、ソルトルームを構築するにあたり、多数の塩製タイルが壁等に敷き詰められることになるが、この際、塩製タイルの位置ずれや落下を防止するために、塩製タイルを壁材や天井材、床材等の固定対象物に確実に固定しなければならない。
【０００９】
しかしながら、塩製タイルは、接着剤や両面粘着テープで固定対象物に直接貼り付けようとすると、安定した状態で固定できないといった問題がある。すなわち、塩製タイルは、塩で成形されたものであるため、表面が凸凹になっていたり、塩の粉が付着したりしており、接着剤や両面粘着テープが付きにくい場合がある。また、塩製タイルは、保管中や輸送中等の温度や湿度の影響（例えば、温度及び湿度の変動）で表面が液状化乃至結晶化する場合があり、接着剤を塗布したり粘着テープを貼り付けたりする面が液状化乃至結晶化していると、接着剤や両面粘着テープが付きにくくなり、固定対象物に対して確実に固定できない場合がある。
【００１０】
また、接着剤や両面粘着テープで塩製タイルを固定対象物に固定しようとすると、接着剤や両面粘着テープが塩製タイルと光源との間に介在することになるため、これらが光源からの光の通過を阻害してしまい、部屋内を空間演出に必要な明るさにすることができなくなることがある。特に、接着剤や両面粘着テープで塩製タイルを固定するのに、十分な接着力を確保しようとすればするほど接着剤や両面粘着テープの厚み（塩製タイルと固定対象物との間に形成される層の厚み）が厚くなるため、光の通過を阻害することが顕著になってしまう。
【００１１】
そこで、本発明は、斯かる実情に鑑み、塩製タイルを壁材や床材、天井材等の固定対象物に確実に固定することができる上に、塩製タイルの背面側に設置した光源の光を部屋内に適正に照射させることのできる塩製タイル用ホルダー、及び塩製タイル取付ユニットを提供することを課題とする。
【課題を解決するための手段】
【００１２】
本発明に係る塩製タイル用ホルダーは、塩で成形された光透過性のある塩製タイルを一方の面上に配置可能に形成されたプレートベース部と、該プレートベース部に直接的又は間接的に連設され、該プレートベース部の一方の面側に延出したタイル保持爪とを備え、前記プレートベース部は、他方の面側に配置される光源の光を一方の面側に通過させる光通過穴が貫設され、前記タイル保持爪は、プレートベース部の一方の面上に配置された塩製タイル回りに位置するように、プレートベース部の周方向に間隔をあけて少なくとも二つ設けられ、各タイル保持爪は、塩製タイルの外周面を係止可能に形成されていることを特徴とする。
【００１３】
上記構成の塩製タイル用ホルダーによれば、プレートベース部の他方の面を壁材等の固定対象物に向けた状態で、プレートベース部の実体のある部分を接着剤や粘着テープ、ネジ等で壁材等の固定対象物に固定したり、プレートベース部の他方の面に固定用爪を延設し、その固定用爪を固定対象物に係合させて固定したりすることができる。そして、上記構成の塩製タイル用ホルダーは、タイル保持爪がプレートベース部の一方の面上に配置された塩製タイル回りに位置するようにプレートベース部の周方向に間隔をあけて少なくとも二つ設けられ、各タイル保持爪は、塩製タイルの外周面を係止可能に形成されているので、プレートベース部の一方の面上に塩製タイルを配置することで、その塩製タイルの外周が各タイル保持爪に係止され、プレートベース部の一方の面と直交する方向や一方の面の広がる方向に塩製タイルが移動するのを規制することができる。従って、本発明に係る塩製タイル用ホルダーを用いれば塩製タイルを固定対象物に確実に固定することができる。
【００１４】
そして、上記構成の塩製タイル用ホルダーは、プレートベース部に光通過穴が穿設されているため、プレートベース部の実体のある部分に、接着剤や粘着テープ、ネジ、固定用爪等が存在しても、光通過穴を介して光源の光を塩製タイルに直接照射することができる。これにより、光源の光の通過が疎外されることなく、塩製タイルを介して光源からの光を部屋内に適正に照射させることができる。
【００１５】
本発明の一態様として、前記プレートベース部の正面形状が塩製タイルの正面形状に対応するように形成されるとともに、該プレートベース部の外周縁部から一方の面側に延出した枠部を備え、前記タイル保持爪は、枠部の先端から延出するように設けられていることが好ましい。このようにすれば、プレートベース部の一方の面上に塩製タイルを配置した状態で、該塩製タイルの外周縁部が枠部に包囲された状態になるため、塩製タイルの位置決めが確実になる。そして、枠部の先端からタイル保持爪が延出しているので、塩製タイルを枠部で位置決めしつつ保持することができる。
【００１６】
本発明に係る塩製タイル取付ユニットは、上記何れかの塩製タイル用ホルダーと、複数の塩製タイル用ホルダーが整列状態で取り付けられるホルダー用基台とを備え、該ホルダー用基台は、塩製タイル用ホルダーの取付位置に光を通過させるための基台側光通過穴が貫設され、各塩製タイル用ホルダーは、光通過穴を基台側光通過穴に対応させた状態でホルダー用基台に取付可能に構成されていることを特徴とする。
【００１７】
上記構成の塩製タイル取付ユニットによれば、ホルダー用基台を壁材等の固定対象物に対して直接的又は間接的に固定した上で、ホルダー用基台に塩製タイル用ホルダーを整列状態で取り付けることで、塩製タイル用ホルダーに保持させた塩製タイルが固定対象物に対して間接的に固定された状態になる。
【００１８】
そして、各塩製タイル用ホルダーは、光通過穴を基台側光通過穴に対応させた状態でホルダー用基台に取付可能に構成されているため、ホルダー用基台に取り付けた状態で、該ホルダー用基台の背面側に配置した光源の光が基台側光通過穴及び光通過穴を介して塩製タイルに到達することになる。これにより、ホルダー用基台の存在が光源からの光の通過を阻害することがなく、塩製タイルを介して光源の光を部屋内に適正に照射させることができる。
【００１９】
本発明の一態様として、前記塩製タイル用ホルダーは、プレートベース部の他方の面側に延出した固定用爪を備え、該固定用爪は、光通過穴の回りに少なくとも二つ設けられるとともに、基台側光通過穴の内周縁部に係止可能に形成されてもよい。このようにすれば、固定用爪をホルダー用基台の基台側光通過穴の内周縁部に係止させるだけで、各塩製タイル用ホルダーを固定することができる。
【００２０】
本発明の他態様として、前記ホルダー用基台の背面側で固定対象物に固定されるベースを更に備え、ホルダー用基台の背面側の面及びベースの正面側の面の少なくとも何れか一方には、相手側に向けて延出する複数の支持脚部が設けられ、ホルダー用基台及びベースは、支持脚部を介して連結可能に構成され、ホルダー用基台とベースとの間に光源を配置するためのスペースが形成されるように構成されていることが好ましい。このようにすれば、光源からの光を光通過穴、基台側光通過穴を介して塩製タイルに適正に導くことのできる位置に光源を配置することができる。なお、ここで「固定対象物」とは、壁材、天井材、床材等としての板材や、柱材や梁材等の骨組み材等の部屋を形成するための構造材料を意味する。
【００２１】
そして、この場合において、前記ホルダー用基台の背面、又は前記ベースの正面の何れか一方に前記支持脚部が延設されるとともに、ホルダー用基台の背面、又はベースの正面の何れか他方に前記支持脚部の先端部を嵌入可能に構成された脚連結部が設けられ、少なくとも何れか一つの支持脚部の先端部、又は該支持脚部の先端部が嵌入される脚連結部の何れか一方に連結用の爪が設けられるとともに、前記少なくとも何れか一つの支持脚部の先端部、又は該支持脚部の先端部が嵌入される脚連結部の何れか他方に前記爪と係合可能な被係合片が設けられていることが好ましい。このようにすれば、被係合片と爪との係合により、ホルダー用基台とベースとを一体的に連結することができる。
【発明の効果】
【００２２】
以上のように、本発明に係る塩製タイル用ホルダー、及び塩製タイル取付ユニットによれば、塩製タイルを壁材や床材、天井材等の固定対象物に確実に固定することができる上に、塩製タイルの背面側に設置した光源の光を部屋内に適正に照射させることができるという優れた効果を奏し得る。
【図面の簡単な説明】
【００２３】
【図１】本発明の一実地形態に係る塩製タイル取付ユニットの分解斜視図を示す。
【図２】同実地形態に係る塩製タイル取付ユニットの一部を分解した状態の斜視図であって、ホルダー用基台とベースとを連結し、塩製タイル用ホルダーをホルダー用基台から取り外した状態の斜視図を示す。
【図３】同実地形態に係る塩製タイル用ホルダー（第一ホルダー）の説明図であって、（ａ）は、正面図を示し、（ｂ）は、側面図を示し、（ｃ）は背面図を示す。
【図４】同実地形態に係る塩製タイル用ホルダー（第一ホルダー）の説明図であって、（ａ）は、正面側から見た斜視図を示し、（ｂ）は、背面側から見た斜視図を示す。
【図５】同実地形態に係る塩製タイル用ホルダー（第二ホルダー）の説明図であって、（ａ）は、正面図を示し、（ｂ）は、側面図を示し、（ｃ）は背面図を示す。
【図６】同実地形態に係る塩製タイル用ホルダー（第二ホルダー）の説明図であって、（ａ）は、正面側から見た斜視図を示し、（ｂ）は、背面側から見た斜視図を示す。
【図７】同実地形態に係る塩製タイル用ホルダー（第三ホルダー）の説明図であって、（ａ）は、正面図を示し、（ｂ）は、側面図を示し、（ｃ）は背面図を示す。
【図８】同実地形態に係る塩製タイル用ホルダー（第三ホルダー）の説明図であって、（ａ）は、正面側から見た斜視図を示し、（ｂ）は、背面側から見た斜視図を示す。
【図９】同実施形態に係る塩製タイル取付ユニットを構成するホルダー用基台の説明図であって、（ａ）は、正面図を示し、（ｂ）は、背面図を示す。
【図１０】同実施形態に係る塩製タイル取付ユニットを構成するベースの説明図であって、（ａ）は、正面図を示し、（ｂ）は、側面図を示す。
【図１１】同実地形態に係る塩製タイル取付ユニットを複数連結した状態を説明するための斜視図を示す。
【図１２】同実施形態に係る塩製タイル取付ユニットを用いて複数の塩製タイルを取り付けた状態の正面図を示す。
【発明を実施するための形態】
【００２４】
以下、本発明の一実施形態に係る塩製タイル取付ユニットについて、添付図面を参照しつつ説明する。
【００２５】
本実施形態に係る塩製タイル取付ユニット（以下、単に取付ユニットという）は、図１及び図２に示す如く、塩製タイルＴを保持可能に構成された塩製タイル用ホルダー１０と、複数の塩製タイル用ホルダー１０が整列状態で取り付けられるホルダー用基台１１と、ホルダー用基台１１の背面側で固定対象物（図示しない）に固定されるベース１２とを備えている。なお、本実施形態において、「固定対象物」とは、部屋を構築する壁材、天井材、床材等の板材や、柱や梁等の棒材を意味する。すなわち、「固定対象物」とは、ソルトルームの骨組みを構成して塩製タイルＴの取り付けの基礎にされる構造物を意味する。
【００２６】
本実施形態に係る取付ユニット１は、正面視六角形状に成形された複数の塩製タイルＴ（Ｔ１）を壁面等に縦横に整列した状態（隣り合う塩製タイルＴ（Ｔ１）の辺（端縁）同士が所定間隔をあけた状態で平行又は略平行をなす状態）で敷き詰めることを前提にしたものである。
【００２７】
このように正面視六角形状に成形された複数の塩製タイルＴを整列状態で配置すると、塩製タイルＴの配置された領域の縦方向の両端、及び横方向の両端に六角形状を半分にした空き領域が形成されてしまうことから、本実施形態に係る取付ユニット１は、塩製タイル用ホルダー１０として、正面視六角形状の塩製タイルＴを保持させる塩製タイル用ホルダー１０ａと、縦横の両端に形成される空き領域に配置するための塩製タイルＴを保持させる塩製タイル用ホルダー１０ｂ，１０ｃとを備えている。
【００２８】
すなわち、本実施形態に係る取付ユニット１は、基本形として正面視六角形状に成形された塩製タイルＴ（以下、第一タイルＴ１という）を保持するための塩製タイル用ホルダー（以下、第一ホルダーという）１０ａと、複数の第一タイルＴ１を縦横に整列状態で配置したときに縦方向の両端に形成される空き領域に配置される塩製タイルＴ（以下、第二タイルＴ２）を保持するための塩製タイル用ホルダー（以下、第二ホルダーという）１０ｂと、複数の第一タイルＴ１を縦横に整列状態で配置したときに横方向の両端に形成される空き領域に配置される塩製タイルＴ（以下、第三タイルＴ３）を保持するための塩製タイル用ホルダー（以下、第三ホルダーという）１０ｃとを備えている。なお、以下において、第一タイルＴ１、第二タイルＴ２、及び第三タイルＴ３の全てを指す場合には、これらを総称して単にタイルＴといい、第一ホルダー１０ａ、第二ホルダー１０ｂ、及び第三ホルダー１０ｃの全てを指す場合には、これらを総称して単にホルダー１０ということとする。
【００２９】
本実施形態に係る取付ユニット１は、基本形の第一タイルＴ１が縦横に整列状態で配置されたときに、各第一タイルＴ１の外周（外郭）を構成する対向二辺が縦方向に沿った状態になるように構成されている。これに伴い、縦方向の両端の空き領域に配置される第二タイルＴ２は、基本形（六角形状）の外郭を構成する対向二辺（略平行をなす二つの辺）の中間点同士を結ぶ線上で基本形（第一タイルＴ１）を切断した形状（第一タイルＴ１を縦方向に二つ割りにした形状）をなしている。これに対し、横方向の両端の空き領域に配置される第三タイルＴ３は、基本形（六角形状）を縦方向で一列をなして対向する二つの頂点を結ぶ線上で基本形（第一タイルＴ１）切断した形状（第一タイルＴ１を横方向に二つ割りにした形状）をなしている。
【００３０】
各ホルダー１０は、透明樹脂又は半透明樹脂で成形されたものであり、図３〜図８に示す如く、タイルＴを一方の面上に配置可能に形成されたプレートベース部１００と、該プレートベース部１００の一方の面側に延出するように該プレートベース部１００に直接的又は間接的に連設されたタイル保持爪１０１と、プレートベース部１００の他方の面側に延出するよう該プレートベース部１００に連設された固定用爪１０２とを備えている。
【００３１】
各ホルダー１０のプレートベース部１００は、正面形状が保持の対象となるタイルＴの正面形状（外郭形状）に対応して形成される。すなわち、本実施形態に係る取付ユニット１は、上述の如く、三種類のタイルＴを取り付けの対象としているため、第一ホルダー１０ａは、プレートベース部１００の正面形状が第一タイルＴ１の正面形状に対応して六角形状に形成され（図３及び図４参照）、第二ホルダー１０ｂは、プレートベース部１００の正面形状が第二タイルＴ２の正面形状に対応して第一ホルダー１０ａのプレートベース部１００を横割りした形状（扁平五角形状）に形成され（図５及び図６参照）、第三ホルダー１０ｃは、プレートベース部１００の正面形状が第三タイルＴ３の正面形状に対応して第一ホルダー１０ａプレート部を縦割りした形状（台形状）に形成されている（図７及び図８参照）。
【００３２】
そして、各ホルダー１０のプレートベース部１００は、他方の面側に配置される光源（図示しない）の光を一方の面側に通過させる光通過穴１０３…が貫設されている。本実施形態に係るホルダー１０は、プレートベース部１００に前記光通過穴１０３…が複数形成されている。
【００３３】
本実施形態に係るホルダー１０は、プレートベース部１００の外周縁部から一方の面側に延出した枠部１０５をさらに備えている。かかる枠部１０５は、プレートベース部１００の外郭と同形の領域を画定し、その領域内にタイルＴが嵌め込み可能に形成されている。すなわち、第一ホルダー１０ａの枠部１０５は、プレートベース部１００を取り囲んで該プレートベース部１００の外郭に対応した六角形状の領域を画定し、第一タイルＴ１を嵌め込み可能に形成されている（図３及び図４参照）。これに対し、第二ホルダー１０ｂの枠部１０５は、プレートベース部１００を取り囲んで該プレートベース部１００の外郭に対応した扁平五角形状（ホームベース状）の領域を画定し、第二タイルＴ２を嵌め込み可能に形成されている（図５及び図６参照）。そして、第三ホルダー１０ｃの枠部１０５は、プレートベース部１００を取り囲んで該プレートベース部１００の外郭に対応して台形状の領域を画定し、第三タイルＴ３を嵌め込み可能に形成されている（図７及び図８参照）。
【００３４】
前記タイル保持爪１０１は、プレートベース部１００の一方の面上に配置されたタイルＴ回りに位置するように、プレートベース部１００の周方向に間隔をあけて少なくとも二つ設けられている。各タイル保持爪１０１は、プレートベース部１００と同様に樹脂製のもので、本実施形態においては、プレートベース部１００と一体的に成形されている。
【００３５】
各タイル保持爪１０１は、タイルＴの外周面を係止可能に形成されている。すなわち、各タイル保持爪１０１は、プレートベース部１００と面直交方向に延出した延出片１０１ａと、延出片１０１ａの延出する方向と直交する方向で該延出片１０２ａの先端部から内側に向いて突出した突起１０１ｂとを備え、突起１０１ｂがタイルＴの外周面に圧接することでタイルＴを係止するようになっている。
【００３６】
本実施形態において、タイル保持爪１０１は、プレートベース部１００に対して間接的に連設されている。すなわち、本実施形態に係るホルダー１０は、枠部１０５を備えているため、各タイル保持爪１０１は、延出片１０１ａが枠部１０５の先端から延出するように設けられている。
【００３７】
本実施形態に係るホルダー１０は、プレートベース部１００の他方の面に補強用のリブ１０４が設けられている。かかるリブ１０４は、プレートベース部１００の他方の面から突出した突片で構成されている。また、本実施形態に係るプレートベース部１００の他方の面には、ホルダー用基台１１に形成された後述する基台側光通過穴１１０…内に嵌め込み可能に形成された環状リブ１０６が光通過穴１０３…を包囲するように突設されている。各ホルダー１０の環状リブ１０６は、プレートベース部１００の外郭形状に対する相似形の領域を画定するように形成されている。すなわち、環状リブ１０６は、プレートベース部１００の外郭形状を画定する辺部と略平行をなしており、プレートベース部１００の外郭形状に対する相似形の領域を該プレートベース部１００の外郭よりも内側で画定している。
【００３８】
従って、第一ホルダー１０ａの環状リブ１０６は、六角形状の領域を画定し（図３及び図４参照）、第二ホルダー１０ｂの環状リブ１０６は、扁平五角形状の領域を画定し（図５及び図６参照）、第三ホルダー１０ｃの環状リブ１０６は、台形状の領域を画定する（図７及び図８参照）ように形成されている。
【００３９】
本実施形態に係る第一ホルダー１０ａは、光通過穴１０３…を前記基台側光通過穴１１０に対応させた状態でホルダー用基台１１に取付可能に構成され、第二ホルダー１０ｂ及び第三ホルダー１０ｃは、光通過穴１０３…をホルダー用基台１１の後述する空き領域１１１，１１２に対応させた状態でホルダー用基台１１に取付可能に構成されている。
【００４０】
具体的には、本実施形態に係るホルダー１０は、上述の如く、プレートベース部１００の他方の面側に延出した固定用爪１０２を備えており、固定用爪１０２は、光通過穴１０３…の回りに少なくとも二つ設けられている。各固定用爪１０２は、環状リブ１０６の先端に連設されている。すなわち、本実施形態に係るホルダー１０における各固定用爪１０２は、環状リブ１０６の先端からプレートベース部１００と面直交方向に延出した延出片１０２ａと、延出片１０２ａの延出する方向と直交する方向で該延出片１０２ａの先端部から外側に向いて突出した係止用凸部１０２ｂとを備えている。
【００４１】
これにより、第一ホルダー１０ａの固定用爪１０２は、環状リブ１０６をホルダー用基台１１の基台側光通過穴１１０…に嵌入した状態で該基台側光通過穴１１０…の縁部に係止用凸部１０２ｂが係合するようになっている。従って、本実施形態に係る取付ユニット１は、接着剤や両面粘着テープ等を用いることなく、第一ホルダー１０ａがホルダー用基台１１に対して取り付け可能になっている。また、第二ホルダー１０ｂ及び第三ホルダー１０ｂは、環状リブ１０６をホルダー用基台１１の空き領域１１１，１１２に嵌入した状態で該空き領域１１１，１１２の縁部に係止用凸部１０２ｂが係合するようになっている。従って、本実施形態に係る取付ユニット１は、第二ホルダー１０ｂ及び第三ホルダー１ｃについても接着剤や両面粘着テープ等を用いることなくホルダー用基台１１に対して取り付け可能になっている。
【００４２】
そして、ホルダー１０は、プレートベース部１００の他方の面上に小径な位置決め用穴（図示しない）が穿設されている。この位置決め用穴は、ホルダー用基台１１に設けられた後述する位置決め用の突起に対応した位置に穿設されている。すなわち、位置決め用の穴は、ホルダー１０の環状リブ１０６を基台側光通過穴１１０（又は、空き領域１１１，１１２）に嵌入した状態で、ホルダー用基台１１に設けられた位置決め用の突起が嵌入できるように設けられている。
【００４３】
なお、本実施形態においては、第二ホルダー１０ｂ及び第三ホルダー１０ｃにのみ位置決め用の穴が穿設されている。すなわち、第二ホルダー１０ｂ及び第三ホルダー１０ｃは、単一の取付ユニット１におけるホルダー用基台１１上に複数のタイルＴ…が配置される領域を画定する外郭を形成する位置に配置されるため、その外郭に位置する第二ホルダー１０ｂ及び第三ホルダー１０ｃを位置決めすることで、これらに包囲される第一ホルダー１０ａが必然的に位置決めされとして、本実施形態においては、第二ホルダー１０ｂ及び第三ホルダー１０ｃのみを位置決め用突起で位置決めするようにしている。
【００４４】
本実施形態に係るホルダー用基台１１は、透明樹脂又は半透明樹脂で成形された樹脂成型品である。該ホルダー用基台１１は、図９に示す如く、第一ホルダー１０ａを取り付ける各位置に、背面側に配置される光源の光を通過させる基台側光通過穴１１０…が貫設されている。本実施形態に係るホルダー用基台１１は、前記基台側光通過穴１１０…が正面視六角形状に形成されており、第一ホルダー１０ａの環状リブ１０６を嵌入できるようになっている。ホルダー用基台１１に穿設された基台側光通過穴１１０…は、その基台側光通過穴１１０…を画定する内周面に環状リブ１０６の外周が略接触する状態或いはやや隙間をあけた状態で該環状リブ１０６を嵌入できるように形成されている。
【００４５】
そして、ホルダー用基台１１は、縦横の両端に切欠状をなす空き領域１１１…，１１２…が形成されている。具体的には、ホルダー用基台１１の縦方向の両端には、横方向に間隔をあけて正面視扁平五角形状の空き領域１１１…が複数形成されるとともに、横方向の両端には、縦方向に間隔をあけて正面視台形状の空き領域１１２…が複数形成されている。
【００４６】
これにより、ホルダー用基台１１は、縦方向に複数配置したときに、隣り合うホルダー用基台１１の扁平五角形状の空き領域１１１…同士が繋がって前記基台側光通過穴１１０…と同様に正面視六角形状をなす穴が形成され、横方向に複数配置したときに、隣り合うホルダー用基台１１の台形状の空き領域１１２…同士が繋がって前記基台側光通過穴１１０…と同様に正面視六角形状をなす穴が形成されるようになっている（図１１参照）。
【００４７】
従って、上記構成のホルダー用基台１１は、縦横に複数配置することで、縦方向で繋がる空き領域１１１…（穴）と、横方向に繋がる空き領域１１２…（穴）に第一ホルダー１０ａの環状リブ１０６を嵌入できる状態になるようになっている。そして、複数の第一ホルダー１０ａを縦横に配置したときに縦方向の両端に残る空き領域１１１…に対して第二ホルダー１０ｂの環状リブ１０６を嵌入し、横方向に残る空き領域１１２…に第三ホルダー１０ｃの環状リブ１０６を嵌入するようになっている。
【００４８】
そして、ホルダー用基台１１は、各ホルダー１０の環状リブ１０６を基台側光通過穴１１０…又は空き領域１１１…，１１２…の繋がった穴に嵌入した状態で、固定用爪１０２の係止用凸部１０２ｂが背面側の縁部に係止され、各ホルダー１０が固定されるようになっている。そして、本実施形態に係るホルダー用基台１１は、他方の面に後述する支持脚部１２０…を連結するための複数の脚連結部１１３…が設けられている。各脚連結部１１３…は、ホルダー用基台１１における基台側光通過穴１１０…からずれた実体の在る部分であって、支持脚部１２０…の配置に対応した位置に設けられている。
【００４９】
そして、本実施形態に係るホルダー用基台１１は、正面（一方の面）上にホルダー１０の位置ずれを防止するための位置決め用の突起（図示しない）が突設されている。なお、本実施形態においては、上述の如く、第二ホルダー１０ｂ及び第三ホルダー１０ｃに位置決め用の穴が設けられるため、位置決め用突起は空き領域１１１，１１２に対応した配置で設けられている。そして、本実施形態に係るホルダー用基台１１は、横方向に並ぶ空き領域１１１…の間、及び縦方向に並ぶ空き領域１１２…間にある実体のある部分に、長尺なボルトを挿通するためのボルト挿通穴（採番しない）が穿孔されている。
【００５０】
ベース１２は、図１０に示す如く、プレート状に形成されており、背面側を固定対象物に対向させた状態で該固定対象物に対してネジ止め等で固定されるようになっている。本実施形態に係るベース１２は、ホルダー用基台１１に穿設されたボルト挿通穴に対応した位置（対向した位置）に同様のボルト挿通穴が穿設されている。これに伴い、本実施形態に係る取付ユニット１は、ホルダー用基台１１のボルト挿通穴に挿通した長尺なボルトをさらにベース１２のボルト挿通穴に挿通し、そのボルトを固定対象物に螺入することで、ホルダー用基台１１及びベース１２を一体的にした状態で固定対象物に固定できるようになっている。
【００５１】
そして、ベース１２は、正面（一方の面）に相手側（ホルダー用基台１１）に向けて延出した複数の支持脚部１２０…が設けられている。本実施形態に係る支持脚部１２０…は、外観棒状に形成されており、本実施形態においては、中空筒状に形成されている。そして、複数の支持脚部１２０…は、延出する方向と直交する方向でそれぞれが間隔をあけて配置されており、ベース１２にホルダー用基台１１を重ね合わせた状態で、ホルダー用基台１１における基台側光通過穴１１０からずれた実体のある部分に先端が対向するように配置されている。本実施形態においては、前記ホルダー用基台１１に脚連結部１１３が設けられているため、各支持脚部１２０…は、ホルダー用基台１１の実体の在る部分に設けられた脚連結部１１３に対応した配置で設けられている。
【００５２】
本実施形態に係る取付ユニット１は、ベース１２の支持脚部１２０…の先端部を脚連結部１１３…に嵌入することで、ホルダー用基台１１をベース１２に連結するようになっている。これにより、本実施形態に係る取付ユニット１は、ホルダー用基台１１とベース１２との間に光源を収容するスペースが形成されるようになっている。なお、本実施形態に係る取付ユニット１は、複数の支持脚部１２０…のうち、少なくとも一つの支持脚部１２０の先端部に爪（採番しない）が形成されるとともに、該支持脚部１２０…が嵌入される脚連結部１１３…内に被係止片（図示しない）が設けられており、支持脚部１２０を脚連結部１１３に嵌入した状態で前記爪が被係止片に係合するようになっている。これにより、ホルダー用基台１１がベース１２から外れてしまうことが防止されている。
【００５３】
そして、ベース１２には、光源としてのＬＥＤを固定するための光源固定用爪（採番しない）が正面に設けられている。本実施形態において、光源としてのＬＥＤが帯板状の基板に取り付けられており、該基板を光源固定用爪で係止することで光源を所定位置で固定できるようになっている。
【００５４】
本実施形態に係る取付ユニット１は、以上の構成からなり、次に、タイルＴを固定対象物に固定する際の施工手順について説明する。
【００５５】
まず、図１及び図１１に示す如く、固定対象物の正面（外面）に複数のベース１２を縦横に整列状態で配置し、各ベース１２をネジ止め等で固定対象物に仮固定する。この状態で、ベース１２は固定対象物に沿った状態をなし、各支持脚部１２０…が固定対象物の正面（壁材等の板材の面や梁材や柱材等の外面）と直交する方向に延出した状態となる。そして、光源としてのＬＥＤを正面側に向けた上で基板に光源固定用爪を係止させる。これにより、複数のＬＥＤが各支持脚部１２０…間で正面に向いた状態で固定されることになる。
【００５６】
しかる後、ホルダー用基台１１をベース１２に連結する。本実施形態においては、複数のベース１２を縦横に整列状態で配置（マトリックス状に配置）するため、ベース１２毎にホルダー用基台１１を連結する。この際、各ベース１２の支持脚部１２０…を各ホルダー用基台１１の脚連結部１１３…に嵌入する。そうすると、何れかの支持脚部１２０…に設けられた爪が、脚連結部１１３…内に設けられた被係止片に係合し、各ホルダー用基台１１がベース１２に対して強固に連結される。また、本実施形態においては、脚連結部１１３に対して支持脚部１２０を嵌入した後、ホルダー用基台１１及びベース１２に穿設されたボルト挿通穴に長尺なボルトを挿通させた上で、そのボルトを固定対象物に螺入させる。これにより、各ホルダー用基台１１及びベース１２が一体的になった状態で固定対象物に対して強固に固定された状態になる。
【００５７】
そして、ホルダー１０にタイルＴを保持させた上で、そのホルダー１０をホルダー用基台１１に取り付ける。すなわち、第一ホルダー１０ａに第一タイルＴ１を保持させた上で、第一ホルダー１０ａの環状リブ１０６を基台側光通過穴１１０…に嵌入し、固定用爪１０２をホルダー用基台１１の背面側に係止させる。そして、ホルダー用基台１１の各基台側光通過穴１１０…、及び空き領域１１１…，１１２…によって形成された穴に対し、他の第一ホルダー１０ａを同様に取り付ける。そして、縦方向の両端にある空き領域１１１…に対しては、第二タイルＴ２を保持させた第二ホルダー１０ｂを取り付け、横方向の両端にある空き領域１１２…に対しては、第三タイルＴ３を保持させた第三ホルダー１０ｃを取り付ける。なお、ホルダー１０の取り付けは、ホルダー１０にタイルＴを保持させた後に該ホルダー１０をホルダー用基台１１に取り付けてもよいし、予めホルダー１０をホルダー用基台１１に取り付けた後に、各ホルダーにタイルＴを保持させるようにしてもよい。
【００５８】
これにより、第二ホルダー１０ｂに保持された第二タイルＴ２が横方向で一列に並ぶとともに、第一ホルダー１０ａに保持された第三ホルダー１０ｃに保持された第三タイルＴ３が縦方向に一列に並び、これらの第二タイルＴ２及び第三タイルＴ３で包囲された領域内に、第一ホルダー１０ａに保持された第一ホルダー１０ａが縦横に整列した状態で配置されることになる。
【００５９】
この状態で、図１２に示す如く、各タイルＴ間に隙間が形成されるため、この隙間内に目地剤を充填する。そうすると、各タイルＴ間にあったタイル保持爪１０１が目地剤によって覆い隠された状態になる。なお、タイルＴ間の隙間に充填する目地剤は、樹脂製のものであってもよいが、例えば、粉末状の塩を水で練ったものであってもよい。このように塩を粉末（微粉末）にして水で練ると、漆喰やセメントのように硬化することになる上に、ソルトルーム（部屋）を画定する壁等の全てが塩で覆われた状態になる。
【００６０】
このように構築されたソルトルームは、ホルダー１０の光通過穴１０３を介して光源の光をタイルＴに直接照射できるため、光源からの光がタイルＴのみを透過して部屋内を照射することになり、癒しの演出をするのに必要な光を部屋内に照射することができる。
【００６１】
以上のように、本実施形態に係る取付ユニット１及びホルダー１０によれば、タイルＴを保持させたホルダー１０をホルダー用基台１１に取り付け、該ホルダー用基台１１を固定対象物に間接的に固定するようにしたので、タイルＴを壁材や床材、天井材等の固定対象物に確実に固定することができる。
【００６２】
また、上記構成の取付ユニット１は、ホルダー１０のプレートベース部１００の一方の面上にタイルＴの外周面を係止可能なタイル保持爪１０１を設けるようにしたので、タイルＴを位置決めしつつ保持することができる。特に、ホルダー１０に枠部１０５を設けたので、タイルＴの位置決めを確実にすることができる。
【００６３】
そして、前記ホルダー１０に対して基台側光通過穴１１０…の縁部に係合可能な固定用爪１０２を設けたので、接着剤や両面粘着テープ等を用いることなく簡単な作業で各ホルダー１０をホルダー用基台１１に対して強固に取り付けることができる。
【００６４】
そして、ホルダー１０のプレートベース部１００に光通過穴１０３…を貫設したので、ホルダー１０が光源の光の通過を妨げることがない。また、ホルダー用基台１１に基台側光通過穴１１０…を貫設したので、ホルダー用基台１１も光源の光の通過を妨げることもない。これにより、光通過穴１０３…及び基台側光通過穴１１０を介してホルダー用基台１１の背面側（プレートベース部１００の他方の面側）に配置された光源の光をタイルＴに直接照射することができ、タイルＴを介して光源からの光を適正な明度で部屋内に照らすことができる。
【００６５】
また、本実施形態においては、ホルダー１０及びホルダー用基台１１を透明樹脂又は半透明樹脂で成形し、固定用爪１０２をホルダー用基台１１に係合させることでホルダーをホルダー用基台１１に取り付けるようにしたので、タイルＴ、ホルダー１０、ホルダー用基台１１のそれぞれの間で光の通過が許容される。これにより、光通過穴１０３…（基台側光通過穴１１０）の周囲を照らす光をホルダー用基台１１、ホルダー１０、タイルＴの順で通過させて部屋内に照射することができる。従って、光通過穴１０３…（基台側光通過穴１１０）を通過した光以外の光も部屋内に照射することができる結果、癒し（光）の演出のバリエーションの幅（明暗の幅）を拡げることができる。
【００６６】
そして、取付ユニット１は、固定対象物に固定されるベース１２を備え、そのベース１２の正面に支持脚部１２０を延設するとともに、ホルダー用基台１１の背面に脚連結部１３０を設けるようにしたので、ホルダー用基台１１とベース１２との間に光源を配置するためのスペースを形成することができ、光通過穴１０３…、基台側光通過穴１１０…を介して光をタイルＴに適正に導くことのできる位置に光源を配置することができる。
【００６７】
尚、本発明に係る塩製タイル用ホルダー、及び塩製タイル取付ユニットは、上記実施形態に限定されるものではなく、本発明の要旨を逸脱しない範囲内において種々変更を加え得ることは勿論である。
【００６８】
上記実施形態において、ホルダー１０及びホルダー用基台１１を透明樹脂又は半透明樹脂で成形したが、これに限定されるものではなく、例えば、ホルダー１０及びホルダー用基台１１は不透明なものであってもよい。すなわち、ホルダー１０及びホルダー用基台１１は、不透明な樹脂で成形されたものや、薄板状の金属板を加工して形成されたものであってもよい。
【００６９】
このようにしてもホルダー１０のプレートベース部１００に光通過穴１０３…が穿設されるとともにホルダー用基台１１に基台側光通過穴１１０…が穿設されることで、タイルＴの背面側に配置された光源の光をタイルＴに効率的に照射することができる結果、タイルＴを介して光源からの光を部屋内に照射することができる。但し、光源からの光を効率的に部屋内に照射するには、上記実施形態と同様に、ホルダー１０及びホルダー用基台１１を透明樹脂又は半透明樹脂で成形することが好ましいことは言うまでもない。
【００７０】
そして、上記実施形態において、ホルダー１０に固定用爪１０２を設け、ホルダー用基台１１の基台側光通過穴１１０…の周縁部に固定用爪１０２を係止させることで、ホルダー１０を固定するようにしたが、これに限定されるものではなく、例えば、ホルダー１０に固定用爪１０２を設けることなく、プレートベース部１００の実体のある部分（光通過穴１０３…を除く部分）を接着剤や両面粘着テープでホルダー用基台１１に固定するようにしてもよい。
【００７１】
上記実施形態において、ホルダー１０を取付ユニット１の一構成として説明したが、これに限定されるものではなく、例えば、ホルダー１０単体を用いて壁面等を形成するようにしてもよい。具体的には、固定対象物を透明な樹脂プレートやタイルＴの配置される箇所に基台側光通過穴１１０…をあけた不透明なプレートで構成し、ホルダー１０のプレートベース部１００を接着剤、や両面粘着テープ、或いは、上記実施形態と同様の固定用爪１０２でプレートに固定するようにしてもよい。なお、言うまでもないが、上述の場合、固定対象物の裏側に光源が配置されることになる。
【００７２】
また、部屋を画定する壁面と天井面との境界（角部）や、壁面と壁面との境界（角部）、壁面と床面との境界（角部）に、固定対象物として平板状の透明カバー、或いは、断面アーチ状に曲げ加工した透明カバーを配置し、この透明カバーに対し、ホルダー１０のプレートベース部１００を接着剤、や両面粘着テープ、或いは、上記実施形態と同様の固定用爪１０２で固定するようにしてもよい。このようにすれば、カバーの背面側に光源を設置することで、プレートベース部１００の光通過穴１０３…を介して光源からの光がタイルＴに導かれる結果、部屋内に光源の光を照らすことができる。なお、上述のような透明カバーに光通過用穴を設けたり、透明カバーに代えて不透明なカバーを設け、そのカバーに光通過用穴を設けたりしてもよい。
【００７３】
上記実施形態において、支持脚部１２０の先端に爪を設けるとともに、該支持脚部１２０が嵌入される脚連結部１１３に被係止片を設けるようにしたが、これに限定されるものではなく、例えば、支持脚部１２０に被係止片を設けるとともに、脚連結部１１３に対して被係止片に係合可能な爪を設けるようにしてもよい。また、上記実施形態において、複数の支持脚部１２０…のうちの一部に対して爪を設けるとともに、その支持脚部１２０の嵌入される脚連結部１１３に対して被係止片を設けるようにしたが、これに限定されるものではなく、例えば、全ての支持脚部１２０…に対して爪又は被係止片の何れか一方を設けるとともに、全ての脚連結部１１３に対して爪又は被係止片の何れか他方を設けるようにしてもよい。
【００７４】
上記実施形態において、ベース１２の正面に支持脚部１２０…を延設するとともに、ホルダー用基台１１の背面に支持脚部１２０…を連結するための脚連結部１１３を設けようにしたが、これに限定されるものではなく、例えば、ホルダー用基台１１の背面に相手側（ベース１２側）に延出した支持脚部１２０…を設けるとともに、ベース１２の正面に支持脚部１２０…を連結するための脚連結部１１３…を設けるようにしたり、ホルダー用基台１１の背面及びベース１２の正面に相手側に向けて延出した支持脚部１２０…を設け、両支持脚部１２０…の先端同士を連結するようにしてもよい。すなわち、前記ホルダー用基台１１の背面及びベース１２の正面の少なくとも何れか一方に、前記光通過穴１０３…からずれた位置で相手側に向けて延出する支持脚部１２０…が設けられ、ホルダー用基台１１及びベース１２は、支持脚部１２０…を介して連結可能に構成され、その支持脚部１２０の存在により、ホルダー用基台１１とベース１２との間に光源を配置するためのスペースが形成されればよい。
【００７５】
上記実施形態において、固定対象物を固定するベース１２を設けるようにしたが、これに限定されるものではなく、ベース１２を設けることなくホルダー用基台１１を固定対象物に固定するようにしてもよい。この場合、固定対象物と間隔があくようにホルダー用基台１１を配置する、すなわち、ホルダー用基台１１の背面側に光源を配置するスペースを形成するために、ホルダー用基台１１の背面側に支持脚部１２０…を延設し、その支持脚部１２０…の先端部を固定対象物に固定するようにしてもよい。
【００７６】
上記実施形態において、タイルＴの基本形として正面視六角形状にするとともに、壁等の方形領域全面にタイルＴを敷き詰めることを前提にしたため、複数のタイルＴを配列するに当たって第二タイルＴ２及び第三タイルＴ３を配列に加えるようにしたが、第二タイルＴ２及び第三タイルＴ３は、壁面や天井面、床面等の面の端部に配置されるものであるため、例えば、壁等の隅部に目隠しや上述の透明カバー等を設置することが許容される場合には、第一タイルＴ１のみを配列するようにしてもよい。従って、この場合には、タイル用ホルダー１０として第一ホルダー１０ａのみを用意すればよい。また、上述の如く、タイルＴの正面視の形状（基本形）を三角形や四角形等の多角形にする場合も同様である。
【００７７】
上記実施形態において、タイルＴの基本形が正面視六角形状であることを前提にホルダー１０（第一ホルダー１０ａ）のプレートベース部１００を六角形に形成し、また、第二ホルダー１０ｂ及び第三ホルダー１０ｃのプレートベース部１００を基本形の半分の形状に形成したが、タイルＴの基本形は六角形状に限定されるものではなく、三角形状や四角形状等の多角形状、円形状等であってもよく、ホルダー１０は、対象となるタイルＴの正面形状に合わせてプレートベース部１００の正面形状を設定すればよい。なお、四角形状のタイルＴを対象とする場合、ホルダー１０のプレートベース部１００が正面視四角形状となるため、これらを縦横に並べると壁等の方形領域に体裁よく配置できるが、それ以外の多角形のタイルＴを対象にすると、縦横に配置したときにこれらで方形領域を形成することができないため、上記実施形態と同様に明き部分を埋める場合（方形領域全面にタイルＴを敷き詰める場合）、その空き部分に対応した正面形状のタイルＴを成形し、また、これに対応するホルダー１０を用意することが好ましいことは言うまでもない。
【００７８】
上記実施形態において、プレートベース部１００とタイル保持爪１０１とを一体成形したが、これに限定されるものではなく、例えば、これらを別体で形成した後、これらを連結するようにしてもよい。従って、プレートベース部１００及びタイル保持爪１０１は、同一の材質で作製されたものに限定されるものではない。
【００７９】
上記実施形態において、プレートベース部１００の外周に枠部１０５を設けたが、これに限定されるものではなく、例えば、プレートベース部１００の外周端部又は一方の面上にタイル保持爪１０１を直接的に延設してもよい。なお、ホルダー１０は、隣り合う他のホルダー１０と接近して配置できることが好ましいため、プレートベース部１００をタイルＴの正面形状及びサイズに対応させて形成し、その外周端部にタイル保持爪１０１を延設することが好ましい。
【符号の説明】
【００８０】
１…取付ユニット（塩製タイル取付ユニット）、１０…ホルダー（塩製タイル用ホルダー）、１０ａ…第一ホルダー（塩製タイル用ホルダー）、１０ｂ…第二ホルダー（塩製タイル用ホルダー）、１０ｃ…第三ホルダー（塩製タイル用ホルダー）、１１…ホルダー用基台、１２…ベース、１００…プレートベース部、１０１…タイル保持爪、１０１ａ…延出片、１０１ｂ…突起、１０２…固定用爪、１０２ａ…延出片、１０２ｂ…係止用凸部、１０３…光通過穴、１０４…リブ、１０５…枠部、１０６…環状リブ、１１０…基台側光通過穴、１１１，１１２…空き領域、１１３…脚連結部、１２０…支持脚部、Ｔ…タイル（塩製タイル）、Ｔ１…第一タイル（塩製タイル）、Ｔ２…第二タイル（塩製タイル）、Ｔ３…第三タイル（塩製タイル）
【図１】
2010222940.tif 000003
【図２】
2010222940.tif 000004
【図３】
2010222940.tif 000005
【図４】
2010222940.tif 000006
【図５】
2010222940.tif 000007
【図６】
2010222940.tif 000008
【図７】
2010222940.tif 000009
【図８】
2010222940.tif 000010
【図９】
2010222940.tif 000011
【図１０】
2010222940.tif 000012
【図１１】
2010222940.tif 000013
【図１２】
2010222940.tif 000014